【手続補正書】
【提出日】平成19年3月9日(2007.3.9)
【手続補正１】
【補正対象書類名】明細書
【補正対象項目名】発明の名称
【補正方法】変更
【補正の内容】
【発明の名称】情報処理装置および方法、並びに記録媒体
【手続補正２】
【補正対象書類名】明細書
【補正対象項目名】特許請求の範囲
【補正方法】変更
【補正の内容】
【特許請求の範囲】
【請求項１】
コンテンツの記録、および再生を制御する情報処理装置において、
ユーザからの操作を受け付ける受付手段と、
前記ユーザの操作の履歴を蓄積して、操作履歴情報を生成する操作履歴情報生成手段と、
前記コンテンツを取得する取得手段と、
前記取得手段が取得した前記コンテンツを情報記録媒体に記録させる記録制御手段と、
前記情報記録媒体に記録されている前記コンテンツを読み出させる読み出し制御手段と、
取得された前記コンテンツ、または読み出された前記コンテンツの出力を制御する出力制御手段と、
前記受付手段が受け付けた録画予約操作に対応して、録画予約設定情報を生成する録画予約設定情報生成手段と、
前記操作履歴情報生成手段が生成した前記操作履歴情報に基づき、自動録画設定情報を生成する自動録画設定情報生成手段と
を含むことを特徴とする情報処理装置。
【請求項２】
前記録画予約設定情報または前記自動録画設定情報に基づき、前記取得手段、および前記記録制御手段を制御してコンテンツの予約録画を実行させる予約録画制御手段を
さらに含むことを特徴とする請求項１に記載の情報処理装置。
【請求項３】
前記出力制御手段が出力を制御した前記コンテンツの映像を表示する表示手段と、
前記出力制御手段が出力を制御した前記コンテンツの音声を放音する放音手段と
をさらに含むことを特徴とする請求項１に記載の情報処理装置。
【請求項４】
前記操作履歴情報生成手段は、前記ユーザの選局操作および前記録画予約操作の履歴を蓄積して、操作履歴情報を生成する
ことを特徴とする請求項１に記載の情報処理装置。
【請求項５】
前記操作履歴情報生成手段は、前記ユーザの選局操作および前記録画予約操作の履歴を曜日毎に蓄積して、操作履歴情報を生成する
ことを特徴とする請求項３に記載の情報処理装置。
【請求項６】
前記記録制御手段は、一連の前記コンテンツを代表する代表静止画像も前記情報記録媒体に記録させる
ことを特徴とする請求項１に記載の情報処理装置。
【請求項７】
前記情報記録媒体に記録されている前記代表静止画像の一覧を前記ユーザに提示する提示手段を
さらに含むことを特徴とする請求項６に記載の情報処理装置。
【請求項８】
前記読み出し制御手段は、前記提示手段が提示した前記一覧に対する前記ユーザの選択操作に対応する前記コンテンツを前記情報記録媒体から読み出させる
ことを特徴とする請求項７に記載の情報処理装置。
【請求項９】
前記提示手段は、前記操作履歴情報生成手段が生成した前記操作履歴情報に基づき、前記一覧における前記代表静止画像の配置を並び替える
ことを特徴とする請求項７に記載の情報処理装置。
【請求項１０】
前記操作履歴情報生成手段が生成した前記操作履歴情報に基づき、視聴の頻度が高い前記コンテンツの供給時刻が迫っている旨を前記ユーザに通知する通知手段を
さらに含むことを特徴とする請求項１に記載の情報処理装置。
【請求項１１】
前記取得手段は、EPG(Electronic Program Guide)データも取得し、
前記EPGデータを用い、前記録画予約設定情報または前記自動録画設定情報に対応するコンテンツを、他のコンテンツと区別して示す番組表を作成する番組表作成手段を
さらに含むことを特徴とする請求項１に記載の情報処理装置。
【請求項１２】
コンテンツの記録、および再生を制御する情報処理装置の情報処理方法において、
ユーザからの操作を受け付ける受付ステップと、
前記ユーザの操作の履歴を蓄積して、操作履歴情報を生成する操作履歴情報生成ステップと、
前記コンテンツを取得する取得ステップと、
前記取得ステップの処理で取得された前記コンテンツを情報記録媒体に記録させる記録制御ステップと、
前記情報記録媒体に記録されている前記コンテンツを読み出させる読み出し制御ステップと、
取得された前記コンテンツ、または読み出された前記コンテンツの出力を制御する出力制御ステップと、
前記受付ステップの処理で受け付けた録画予約操作に対応して、録画予約設定情報を生成する録画予約設定情報生成ステップと、
前記操作履歴情報生成ステップの処理で生成された前記操作履歴情報に基づき、自動録画設定情報を生成する自動録画設定情報生成ステップと
を含むことを特徴とする情報処理方法。
【請求項１３】
コンテンツの記録、および再生を制御するコンピュータの制御用のプログラムであって、
ユーザからの操作を受け付ける受付ステップと、
前記ユーザの操作の履歴を蓄積して、操作履歴情報を生成する操作履歴情報生成ステップと、
前記コンテンツを取得する取得ステップと、
前記取得ステップの処理で取得された前記コンテンツを情報記録媒体に記録させる記録制御ステップと、
前記情報記録媒体に記録されている前記コンテンツを読み出させる読み出し制御ステップと、
取得された前記コンテンツ、または読み出された前記コンテンツの出力を制御する出力制御ステップと、
前記受付ステップの処理で受け付けた録画予約操作に対応して、録画予約設定情報を生成する録画予約設定情報生成ステップと、
前記操作履歴情報生成ステップの処理で生成された前記操作履歴情報に基づき、自動録画設定情報を生成する自動録画設定情報生成ステップと
を含む処理をコンピュータに実行させることを特徴とするプログラムが記録されている記録媒体。
【手続補正３】
【補正対象書類名】明細書
【補正対象項目名】０００１
【補正方法】変更
【補正の内容】
【０００１】
【発明の属する技術分野】
本発明は、情報処理装置および方法、並びに記録媒体に関し、特に、テレビジョン番組に対する視聴履歴や録画予約履歴に基づき、自動的に録画予約を設定するようにした情報処理装置および方法、並びに記録媒体に関する。
【手続補正４】
【補正対象書類名】明細書
【補正対象項目名】０００７
【補正方法】変更
【補正の内容】
【０００７】
【課題を解決するための手段】
本発明の情報処理装置は、ユーザからの操作を受け付ける受付手段と、ユーザの操作の履歴を蓄積して、操作履歴情報を生成する操作履歴情報生成手段と、コンテンツを取得する取得手段と、取得手段が取得したコンテンツを情報記録媒体に記録させる記録制御手段と、情報記録媒体に記録されているコンテンツを読み出させる読み出し制御手段と、取得されたコンテンツ、または読み出されたコンテンツの出力を制御する出力制御手段と、受付手段が受け付けた録画予約操作に対応して、録画予約設定情報を生成する録画予約設定情報生成手段と、操作履歴情報生成手段が生成した操作履歴情報に基づき、自動録画設定情報を生成する自動録画設定情報生成手段とを含むことを特徴とする。
【手続補正５】
【補正対象書類名】明細書
【補正対象項目名】０００８
【補正方法】変更
【補正の内容】
【０００８】
本発明の情報処理装置は、録画予約設定情報または自動録画設定情報に基づき、取得手段、および記録制御手段を制御してコンテンツの予約録画を実行させる予約録画制御手段をさらに含むことができる。
本発明の情報処理装置は、出力制御手段が出力を制御したコンテンツの映像を表示する表示手段と、出力制御手段が出力を制御したコンテンツの音声を放音する放音手段とをさらに含むことができる。
【手続補正６】
【補正対象書類名】明細書
【補正対象項目名】０００９
【補正方法】変更
【補正の内容】
【０００９】
前記操作履歴情報生成手段は、ユーザの選局操作および録画予約操作の履歴を蓄積して、操作履歴情報を生成するようにすることができる。
前記操作履歴情報生成手段は、ユーザの選局操作および録画予約操作の履歴を曜日毎に蓄積して、操作履歴情報を生成するようにすることができる。
【手続補正７】
【補正対象書類名】明細書
【補正対象項目名】００１０
【補正方法】変更
【補正の内容】
【００１０】
前記記録制御手段は、一連のコンテンツを代表する代表静止画像も情報記録媒体に記録させるようにすることができる。
【手続補正８】
【補正対象書類名】明細書
【補正対象項目名】００１１
【補正方法】変更
【補正の内容】
【００１１】
本発明の情報処理装置は、情報記録媒体に記録されている代表静止画像の一覧をユーザに提示する提示手段をさらに含むことができる。
【手続補正９】
【補正対象書類名】明細書
【補正対象項目名】００１２
【補正方法】変更
【補正の内容】
【００１２】
前記読み出し制御手段は、提示手段が提示した一覧に対するユーザの選択操作に対応するコンテンツを情報記録媒体から読み出させるようにすることができる。
【手続補正１０】
【補正対象書類名】明細書
【補正対象項目名】００１３
【補正方法】変更
【補正の内容】
【００１３】
前記提示手段は、操作履歴情報生成手段が生成した操作履歴情報に基づき、一覧における代表静止画像の配置を並び替えるようにすることができる。
【手続補正１１】
【補正対象書類名】明細書
【補正対象項目名】００１４
【補正方法】変更
【補正の内容】
【００１４】
本発明の情報処理装置は、操作履歴情報生成手段が生成した操作履歴情報に基づき、視聴の頻度が高いコンテンツの供給時刻が迫っている旨をユーザに通知する通知手段をさらに含むことができる。
【手続補正１２】
【補正対象書類名】明細書
【補正対象項目名】００１５
【補正方法】変更
【補正の内容】
【００１５】
前記取得手段は、EPG(Electronic Program Guide)データも取得するようにすることができ、本発明の情報処理装置は、EPGデータを用い、録画予約設定情報または自動録画設定情報に対応するコンテンツを、他のコンテンツと区別して示す番組表を作成する番組表作成手段をさらに含むことができる。
【手続補正１３】
【補正対象書類名】明細書
【補正対象項目名】００１６
【補正方法】変更
【補正の内容】
【００１６】
本発明の情報処理方法は、ユーザからの操作を受け付ける受付ステップと、ユーザの操作の履歴を蓄積して、操作履歴情報を生成する操作履歴情報生成ステップと、コンテンツを取得する取得ステップと、取得ステップの処理で取得されたコンテンツを情報記録媒体に記録させる記録制御ステップと、情報記録媒体に記録されているコンテンツを読み出させる読み出し制御ステップと、取得されたコンテンツ、または読み出されたコンテンツの出力を制御する出力制御ステップと、受付ステップの処理で受け付けた録画予約操作に対応して、録画予約設定情報を生成する録画予約設定情報生成ステップと、操作履歴情報生成ステップの処理で生成された操作履歴情報に基づき、自動録画設定情報を生成する自動録画設定情報生成ステップとを含むことを特徴とする。
【手続補正１４】
【補正対象書類名】明細書
【補正対象項目名】００１７
【補正方法】変更
【補正の内容】
【００１７】
本発明の記録媒体のプログラムは、ユーザからの操作を受け付ける受付ステップと、ユーザの操作の履歴を蓄積して、操作履歴情報を生成する操作履歴情報生成ステップと、コンテンツを取得する取得ステップと、取得ステップの処理で取得されたコンテンツを情報記録媒体に記録させる記録制御ステップと、情報記録媒体に記録されているコンテンツを読み出させる読み出し制御ステップと、取得されたコンテンツ、または読み出されたコンテンツの出力を制御する出力制御ステップと、受付ステップの処理で受け付けた録画予約操作に対応して、録画予約設定情報を生成する録画予約設定情報生成ステップと、操作履歴情報生成ステップの処理で生成された操作履歴情報に基づき、自動録画設定情報を生成する自動録画設定情報生成ステップとを含む処理をコンピュータに実行させることを特徴とする。
【手続補正１５】
【補正対象書類名】明細書
【補正対象項目名】００１８
【補正方法】変更
【補正の内容】
【００１８】
本発明においては、ユーザの操作の履歴が蓄積されて操作履歴情報が生成される。また、受け付けた録画予約操作に対応して録画予約設定情報が生成される。さらに、生成された操作履歴情報に基づき、自動録画設定情報が生成される。
【手続補正１６】
【補正対象書類名】明細書
【補正対象項目名】００２５
【補正方法】変更
【補正の内容】
【００２５】
記録再生部１０は、制御部２からの制御に基づき、第２受信部９から入力される一連の映像信号および音声信号を記録媒体１１に記録する。記録再生部１０はまた、第２受信部９から入力される一連の映像信号を特徴付ける代表静止画像の画像信号を、先に記録した一連の映像信号および音声信号に対応付けて記録媒体１１に記録する。なお、代表静止画像は、例えば、一連の映像信号が子供向きのアニメーション番組であるときには、主人公のキャラクタが表示されている画像を代表静止画面にするなど、一連の映像を視聴しながらユーザが設定できる。
【手続補正１７】
【補正対象書類名】明細書
【補正対象項目名】００６５
【補正方法】変更
【補正の内容】
【００６５】
【発明の効果】
以上のように、本発明によれば、ユーザの好みのコンテンツを推定して自動的に録画することが可能となる。